(57)【特許請求の範囲】
【請求項１】
無線装置と通信を行う方法であって、
第一の通信システムと前記無線装置との間の第一の無線プロトコルを用いた通信セッションに関するネットワーク情報を、第一のアクセスノードを介して前記無線装置に送信し、
前記無線装置から、第二の通信システムを当該無線装置が検知したという指示を前記第一のアクセスノードで受信し、
前記第二の通信システムは、前記第一の無線プロトコルとは異なる第二の無線プロトコルを用いる第二のアクセスノードを備え、
前記無線装置は前記ネットワーク情報を記憶し、
前記第一のアクセスノードから前記第二のアクセスノードに前記無線装置の第一のハンドオーバを実行している間、記憶された前記ネットワーク情報を前記第二のアクセスノードに提供し、
前記第一の通信システムに前記第二のアクセスノードのロケーションの指示を提供し、
前記第一の通信システムから前記第二の通信システムを介して前記無線装置に、前記第二のアクセスノードの前記ロケーションに基づいてページングメッセージを送信し、
前記ページングメッセージは、前記第二の無線プロトコルを用いる前記第二のアクセスノードの前記ロケーションに基づいて、前記第一の通信システムから前記第二の通信システム内のアクセスノード群に送信されることを特徴とする方法。
【請求項２】
請求項１に記載の方法であって、さらに、
前記第二の通信システムから前記第一の通信システムへと第二のハンドオーバを行うために、前記第一の通信システムに対して、前記第二の通信システムと前記無線装置との間の通信セッションに関する前記ネットワーク情報を提供することを特徴とする方法。
【請求項３】
請求項１に記載の方法であって、
前記無線装置が前記第二の通信システムを検知した場合、前記第一の通信システムは、前記第二の通信システムへの前記第一のハンドオーバの実行要求を当該無線装置に指示することを特徴とする方法。
【請求項４】
請求項１に記載の方法であって、さらに、
前記第一の通信システムからの前記ページングメッセージを、前記第二の通信システムを介して、前記無線装置において受信することを特徴とする方法。
【請求項５】
請求項１に記載の方法であって、さらに、
前記第二の無線プロトコルを用いた前記第二の通信システムと前記無線装置との間の第二の通信セッションの間、前記第二の通信システムを介して前記第一の通信システムに対して、前記アクセスノードの前記ロケーションを提供することを特徴とする方法。
【請求項６】
無線装置と通信するためのシステムであって、
第一の通信システムと前記無線装置との間の第一の無線プロトコルを用いた通信セッションに関するネットワーク情報を、第一のアクセスノードを介して前記無線装置に送信し、
前記無線装置から、第二の通信システムを当該無線装置が検知したという指示を前記第一のアクセスノードで受信し、
前記第二の通信システムは、前記第一の無線プロトコルとは異なる第二の無線プロトコルを用いる第二のアクセスノードを備え、
前記無線装置は前記ネットワーク情報を記憶し、
前記第一のアクセスノードから前記第二のアクセスノードに前記無線装置の第一のハンドオーバを実行している間、記憶された前記ネットワーク情報を前記第二のアクセスノードに提供し、
前記第一の通信システムに前記第二のアクセスノードのロケーションの指示を提供し、
前記第一の通信システムから前記第二の通信システムを介して前記無線装置に、前記第二のアクセスノードの前記ロケーションに基づいてページングメッセージを送信し、
前記ページングメッセージは、前記第二の無線プロトコルを用いる前記第二のアクセスノードの前記ロケーションに基づいて、前記第一の通信システムから前記第二の通信システム内の一群のアクセスノードに送信される、処理ノードを備えることを特徴とするシステム。
【請求項７】
請求項６に記載のシステムであって、
前記処理ノードはさらに、
前記無線装置から、前記第二の通信システムと前記無線装置との間の通信セッションに関するネットワーク情報を受信し、
前記受信したネットワーク情報を使って、前記第二の通信システムから前記第一の通信システムへ、第二のハンドオーバを行うよう構成されることを特徴とするシステム。
【請求項８】
請求項６に記載のシステムであって、
前記処理ノードはさらに、前記無線装置が前記第二の通信システムを検知した場合、前記第二の通信システムへの前記第一のハンドオーバの実行要求を当該無線装置に指示するよう構成されることを特徴とするシステム。
【請求項９】
請求項６に記載のシステムであって、
前記処理ノードはさらに、前記第二の通信システムを介して、前記第一の通信システムから前記無線装置に前記ページングメッセージを送信することを指示するよう構成されることを特徴とするシステム。
【発明の詳細な説明】
【背景技術】
【０００１】
無線通信ネットワークは、無線装置が地理的に移動する際に、その無線装置との通信リンクを維持するために様々な方法を導入している。例えば、第一のアクセスノードから第二のアクセスノードへと無線装置のハンドオーバが行われる場合がある。このハンドオーバの実行には多くの理由がある。例えば、無線装置は、一つのアクセスノードのサービスエリアから別のアクセスノードのサービスエリアへ移動することができる。無線装置のハンドオーバは、また、負荷分散、キャリアバンド利用管理、ネットワーク輻輳の対処、または他の理由を目的として実行することができる。通常、一つのアクセスノードから別のアクセスノードへのハンドオーバを行う場合、通信ネットワークは、無線装置および通信セッションについての情報を備えたコンテキスト情報などのネットワーク情報を、宛先のアクセスノードに提供する。
【発明の概要】
【０００２】
実施例のひとつにおいて、第一の無線アクセス技術を使用した第一の通信システムと通信する無線装置から、第二のアクセス技術を使用する第二の通信システムを当該無線装置が検知したという指示を受け取る。第一の通信システムのネットワーク情報が提供され、第一の通信システムから第二の通信システムへの第一ハンドオーバを実行すると、該ネットワーク情報は該無線装置に記憶される。実施例のひとつにおいて、第二の通信システムから第一の通信システムへの第二ハンドオーバを実行するために、ネットワーク情報は第一の通信システムに提供される。
【図面の簡単な説明】
【０００３】
【図１】無線装置と通信するための例示的な通信システムを説明する図である。
【図２】無線装置と通信するための例示的な方法を説明する図である。
【図３】無線装置と通信するための別の例示的な通信システムを説明する図である。
【図４】無線装置と通信するための別の例示的な方法を説明する図である。
【図５】例示的な処理ノードを説明する図である。
【発明を実施するための形態】
【０００４】
図１は、無線装置と通信するための例示的な通信システム１００を説明する図であり、通信システム１００は、無線装置１０２、第一の通信システム１０４、および第二の通信システム１０６を含む。無線装置１０２の例としては、携帯電話、スマートフォン、ラップトップやパームトップやタブレット等のコンピューティング・プラットフォーム、ＰＤＡ、インターネットアクセス装置、あるいは、それらの組み合わせを含むことができる。無線装置１０２は、通信リンク１０８を介して第一の通信システム１０４と通信することができ、通信リンク１１０を介して第二の通信システム１０６と通信することができる。
【０００５】
通信システム１０４、１０６は、有線通信ネットワークでも無線通信ネットワークでもよく、さまざまなネットワーク構成要素の間でデータ送信を行うための処理ノード、ルータ、ゲートウェイ、および、物理リンクおよびまたは無線データリンク、およびそれらの組み合わせを含むことができ、かつ、ローカルエリアネットワーク（ＬＡＮ）、広域ネットワーク（ＷＡＮ）、および相互接続ネットワーク（インターネットを含む）を包含することができる。通信システム１０４、１０６はまた、基地局、無線通信ノード、電話通信スイッチ、ルータ、ゲートウェイ、コンピュータシステム、通信リンク、または他の種類の通信機器、およびその組み合わせを備えてもよい。無線ネットワークプロトコルは、符号分割多重アクセス方式（ＣＤＭＡ）１ｘＲＴＴ、グローバル・システム・フォー・モバイル・コミュニケーションズ（ＧＳＭ（登録商標））、ユニバーサル・モバイル・テレコミュニケーション・システム（ＵＭＴＳ）、高速パケットアクセス（ＨＳＰＡ）、エボリューションデータ オプティマイズド（ＥＶ−ＤＯ）、ＥＶ−ＤＯｒｅｖ．Ａ、第三世代パートナシッププロジェクトのロング・ターム・エボリューション（３ＧＰＰ  ＬＴＥ）およびワールドワイド・インターオペラビリティ・フォー・マイクロウェーブ・アクセス（ＷｉＭＡＸ）を含むことができる。通信システム１０４、１０６が利用可能な有線ネットワークプロトコルは、イーサネット（登録商標）、ファストイーサネット（登録商標）、ギガビットイーサネット（登録商標）、ローカルトーク（搬送波感知多重アクセス／衝突回避方式など）、トークンリング、光ファイバ分散データインタフェース（ＦＤＤＩ）、および非同期転送モード（ＡＴＭ）を含むことができる。
【０００６】
通信リンク１０８および１１０は、有線通信リンクまたは無線通信リンクにすることができる。有線通信リンクは、例えば、ツイストペアケーブル、同軸ケーブルもしくは光ファイバーケーブル、またはそれらの組み合わせとしてよい。無線通信リンクは高周波、マイクロ波、赤外線、または他の類似の信号にすることができる。無線通信リンクはまた、適切な通信プロトコルを使用することができる。適切な通信プロトコルは、例えば、グローバル・システム・フォー・モバイル・コミュニケーションズ（ＧＳＭ（登録商標））、符号分割多重アクセス方式（ＣＤＭＡ）、ワールドワイド・インターオペラビリティ・フォー・マイクロウェーブ・アクセス（ＷｉＭＡＸ）、ロング・ターム・エボリューション（ＬＴＥ）のほか、例えばＷｉＦｉ、ＷＬＡＮ、ブルートゥース（Ｂｌｕｅｔｏｏｔｈ（登録商標））、ジグビー（Ｚｉｇｂｅｅ（登録商標））、アイアールディーエイ（ＩｒＤＡ）等や、それらの組み合わせを含むＩＥＥＥ８０２ファミリのプロトコルのような近距離無線プロトコルなどである。
【０００７】
通信システム１００には、無線通信を容易にするために他のネットワーク構成要素が存在する場合もあるが、理解しやすくするために省略する。これらの構成要素には例えば、基地局、基地局コントローラ、ゲートウェイ、移動通信交換局、ディスパッチアプリケーションプロセッサ、モビリティ・マネジメント装置、およびホームロケーションレジスタまたはビジターロケーションレジスタなどのロケーションレジスタの他、さまざまなネットワーク構成要素の中でデータを送信するための追加的な処理ノード、ルータ、ゲートウェイ、物理データリンクおよびまたは無線データリンクが含まれてもよい。
【０００８】
第一の通信システム１０４は無線装置１０２と通信可能であり、第二の通信システム１０６への無線装置１０２のハンドオーバ実行を決定することができる。無線装置１０２は、第二の通信システム１０６の存在を検知することが可能であり、第一の通信システム１０４に対して第二の通信システム１０６の存在を報告することができる。例えば、第一の通信システムは、無線装置１０２と通信するために、ＬＴＥやＷｉＭＡＸのようなプロトコルを使用することができる。さらに、無線装置１０２は、第二の通信システム１０６のアクセスノードの存在を検出することができ、このアクセスノードは、ＷｉＦｉ、Ｂｌｕｅｔｏｏｔｈ（登録商標）、Ｚｉｇｂｅｅ（登録商標）、ＩｒＤＡ等のプロトコルを使って、無線装置１０２と通信することが可能である。実施例のひとつにおいて、無線装置１０２は第二の通信システム１０６の存在を検知し、第一の通信システム１０４に対して第二の通信システム１０６の存在を報告することができる。
【０００９】
通信システム１０４は、通信システム１０６への無線装置１０２のハンドオーバ実行を決定することができる。例えば、負荷分散を行ったり、通信システム１０４内での輻輳を軽減したり、無線装置１０２に対するローミングコスト、使用コスト、または他のコストを削減するために、または無線装置１０２が通信システム１０４のサービスエリアから離れる可能性があるという理由で、通信システム１０４は通信システム１０６への無線通信１０２のハンドオーバ実行を決定する。無線装置１０２のハンドオーバ実行には他の目的も考えられる。通信システム１０６へのハンドオーバを行う前に、ネットワーク情報を無線装置１０２に記憶させることができる。ネットワーク情報は、無線装置の識別情報、その移動状態、および通信システム１０４と無線装置１０２の間の通信セッションに関するパラメータを含むことができる。通信システム１０６から戻って通信システム１０４に無線装置１０２をハンドオーバする第二のハンドオーバが行われると、無線装置１０２は記憶されたネットワーク情報を通信システム１０４に提供して、このハンドオーバおよび通信システム１０４との通信リンクの確立を容易にすることができる。もし無線装置１０２からこのネットワーク情報が利用できなければ、通信システム１０４との通信リンクの確立や、通信セッションの構築に遅延が発生するであろう。例えば、第一の通信システムは、通信システム１０４内のどこか別の場所からネットワーク情報とその関連情報を取り出すことを要求されるかもしれない。
【００１０】
実施例のひとつにおいて、通信システム１０４のネットワーク構成要素は、第一の無線アクセス技術を使用する第一の通信システム１０４と通信する無線装置１０２から、無線装置１０２が、第二のアクセス技術を使用する第二の通信システム１０６を検知したという指示を受け取る。第一の通信システム１０４から第二の通信システム１０６への無線装置１０２の第一ハンドオーバを行う際、通信システム１０４のネットワーク構成要素は、無線装置１０２に記憶すべき第一の通信システム１０４のネットワーク情報を提供する。
【００１１】
図２は、無線装置と通信するための例示的な方法を説明する図である。動作２０２において、第一の通信システムは無線装置と通信を行う。例えば、第一の通信システム１０４は、通信リンク１０８を介して無線装置１０２と通信することができる。第一の通信システム１０４は、ＬＴＥやＷｉＭＡＸ等のプロトコルを使用して、無線装置１０２と通信することができる。
【００１２】
動作２０４において、第一の通信システムのネットワーク構成要素は、無線装置が第二の通信システムを検知したという指示を無線装置から受け取る。例えば、第一の通信システム１０４のネットワーク構成要素は、無線装置１０２が第二の通信システム１０６を検知したというという指示を無線装置１０２から受け取ることができる。この受信された指示は、例えば、第二の通信システム１０６のアクセスノードが検出されたという指示を含むことができ、さらに第二の通信システムのアクセスノードによって使用される無線プロトコルについての指示もさらに提供することができる。実施例のひとつにおいて、第二の通信システム１０６は、ＷｉＦｉ、ＷＬＡＮ、Ｂｌｕｅｔｏｏｔｈ（登録商標）、Ｚｉｇｂｅｅ（登録商標）、ＩｒＤＡ等のプロトコルを使用することが可能である。
【００１３】
動作２０６において、ネットワーク情報が無線装置に記憶される。例えば、第一の通信セッション１０４と無線装置１０２の間の通信セッションに関連するネットワーク情報が無線装置１０２に記憶される。ネットワーク情報は、例えば、無線装置と通信セッションについての情報を含む、コンテキスト情報を含むことができる。実施例のひとつにおいて、例えば、移動管理装置や類似のネットワーク構成要素などの通信セッションコントローラが、このネットワーク情報を提供することができる。
【００１４】
動作２０８において、第一の通信システムから第二の通信システムへと無線装置を引き渡すためにハンドオーバが行われる。例えば、無線装置１０２は、第一の通信システム１０４から第二の通信システム１０６へと引き渡される。例えば、ネットワークの輻輳、負荷分散、またはキャリアバンド管理に対処するために、無線装置１０２が第二の通信システム１０６を検知した際、無線装置１０２は、第一の通信システム１０４にメッセージを送信することによって第一の通信システム１０４に通知を行うことができる。第一の通信システム１０４は無線装置１０２にネットワーク情報を提供し、無線装置１０２の第二の通信システム１０６へのハンドオーバを行うことができる。
【００１５】
図３は、無線装置と通信するための別の例示的な通信システム３００を説明する図であり、無線装置３０２、アクセスノード３０４、３０６、および３０８、第一の通信システム３１２、第二の通信システム３１０、およびコントローラノード３１４を含む。無線装置３０２の例としては、携帯電話、スマートフォン、ラップトップやパームトップやタブレット等のコンピューティング・プラットフォーム、ＰＤＡ、インターネットアクセス装置、あるいは、それらの組み合わせを含むことができる。無線装置３０２は、通信リンク３１６を介してアクセスノード３０４と、通信リンク３１８を介してアクセスノード３０６と、通信リンク３２０を介してアクセスノード３０８と通信可能である。
【００１６】
アクセスノード３０４、３０６、および３０８は、無線装置１０２に対する無線通信を提供することができるネットワークノードである。アクセスノード３０４と３０８の例としては、例えば、ベーストランシーバ基地局、無線基地局、ｅＮｏｄｅＢ装置、またはエンハンスドｅＮｏｄｅＢ装置がある。アクセスノード３０４は、通信リンク３２２を経由して第一の通信システム３１２と通信を行い、アクセスノード３０８は通信リンク３２６を経由して第一の通信システム３１２と通信を行う。アクセスノード３０６の例としては、例えば、ＷｉＦｉノード、ＷＬＡＮノード、Ｂｌｕｅｔｏｏｔｈ（登録商標）ノード、Ｚｉｇｂｅｅ（登録商標）ノード、ＩｒＤＡノード等がある。アクセスノード３０６は、通信リンク３２４を介して第二の通信システム３１０と通信を行う。理解しやすくするために、図３では三つのアクセスノード３０４、３０６および３０８が示されているが、第一の通信システム３１２および通信システム３１０は、それぞれ複数のアクセスノードと通信可能であり、それぞれのアクセスノードは無線装置３０２と通信可能である。
【００１７】
通信システム３１０、３１２は有線通信ネットワークでも無線通信ネットワークでもよく、さまざまなネットワーク構成要素の間でデータ送信を行うための処理ノード、ルータ、ゲートウェイ、および物理リンクおよびまたは無線データリンク、およびそれらの組み合わせを含むことができ、かつ、ローカルエリアネットワーク（ＬＡＮ）、広域ネットワーク（ＷＡＮ）、および相互接続ネットワーク（インターネットを含む）を包含することができる。通信システム３１０、３１２は、基地局、無線通信ノード、電話通信スイッチ、ルータ、ゲートウェイ、コンピュータシステム、通信リンク、または他の種類の通信機器、およびその組み合わせを含んでもよい。無線ネットワークプロトコルは、符号分割多重アクセス方式（ＣＤＭＡ）１ｘＲＴＴ、グローバル・システム・フォー・モバイル・コミュニケーションズ（ＧＳＭ（登録商標））、ユニバーサル・モバイル・テレコミュニケーション・システム（ＵＭＴＳ）、高速パケットアクセス（ＨＳＰＡ）、エボリューションデータオプティマイズド（ＥＶ−ＤＯ）、ＥＶ−ＤＯｒｅｖ．Ａ、第三世代パートナシッププロジェクトのロング・ターム・エボリューション（３ＧＰＰ  ＬＴＥ）およびワールドワイド・インターオペラビリティ・フォー・マイクロウェーブ・アクセス（ＷｉＭＡＸ）を含んでもよい。通信システム３１０、３１２により利用できる有線ネットワークプロトコルは、イーサネット（登録商標）、ファストイーサネット（登録商標）、ギガビットイーサネット（登録商標）、ローカルトーク（搬送波感知多重アクセス／衝突回避方式など）、トークンリング、光ファイバ分散データインタフェース（ＦＤＤＩ）、および非同期転送モード（ＡＴＭ）を含んでもよい。通信システム３１０および３１２は、通信リンク３３０を介して通信可能である。
【００１８】
コントローラノード３１４は、通信リンク３２８を介して通信システム３１２と通信するネットワーク構成要素である。コントローラノード３１４は、プロセッサおよび対応する回路を備え、無線装置３０２と通信するためにコンピュータが読取可能な命令を実行、または実行を指示することができる。コントローラノード３１４は 記憶部からソフトウェアを抽出して実行できる。記憶部は、ディスクドライブ、フラッシュドライブ、メモリ回路、または他のメモリ装置を含み、ローカルまたはリモートでアクセス可能である。ソフトウェアはコンピュータプログラム、ファームウェア、または機械読取可能な命令の何らかの他の形式を含み、かつ、オペレーションシステム、ユーティリティ、ドライバ、ネットワークインターフェース、アプリケ―ション、またはその組み合わせを包含する何らかの他のソフトウェア形式を含む。コントローラノード３１４は、ユーザインターフェイスにおいて、命令および他の入力を受けとることができる。コントローラノード３１４の例として、移動管理装置（ＭＭＥ）などの独立型演算装置を含むことができる。追加的にまたは代替として、コントローラノード３１４の機能は、別のネットワーク構成要素の中に組み込むことも可能である。
【００１９】
通信リンク３１６、３１８、３２０、３２２、３２４、３２６、３２８および３３０は有線通信リンクまたは無線通信リンクにすることができる。有線通信リンクは、例えば、ツイストペアケーブル、同軸ケーブル、あるいは光ファイバーケーブル、またはそれらの組み合わせとしてよい。無線通信リンクは高周波、マイクロ波、赤外線、または他の類似の信号にすることができる。無線通信リンクはまた、適切な通信プロトコルを使用することができる。適切な通信プロトコルは、例えば、グローバル・システム・フォー・モバイル・コミュニケーションズ（ＧＳＭ（登録商標））、符号分割多重アクセス方式（ＣＤＭＡ）、ワールドワイド・インターオペラビリティ・フォー・マイクロウェーブ・アクセス（ＷｉＭＡＸ）、ロング・ターム・エボリューション（ＬＴＥ）のほか、例えばＷｉＦｉ、ＷＬＡＮ、ブルートゥース（Ｂｌｕｅｔｏｏｔｈ（登録商標））、ジグビー（Ｚｉｇｂｅｅ（登録商標））、アイアールディーエイ（ＩｒＤＡ）等や、それらの組み合わせを含むＩＥＥＥ８０２ファミリのプロトコルのような近距離無線プロトコルなどである。
【００２０】
通信システム３００には、無線通信を容易にするために他のネットワーク構成要素が存在する場合もあるが、理解しやすくするために省略する。それらは例えば、基地局、基地局コントローラ、ゲートウェイ、移動交換局、ディスパッチアプリケーションプロセッサ、およびホームロケーションレジスタまたはビジターロケーションレジスタなどのロケーションレジスタを含む。さらに、アクセスノード３０４、３０６、３０８、第一の通信システム３１２、第二の通信システム３１０およびコントローラノード３１４の間の通信を容易にするために他のネットワーク構成要素が存在する場合もあるが、これらは理解しやすくするために省略される。これらの構成要素には例えば、さまざまなネットワーク構成要素の間でデータを搬送するための追加的な処理ノード、ルータ、ゲートウェイ、物理データリンクおよびまたは無線データリンクが含まれる。
【００２１】
図４は、無線装置と通信するための別の例示的な方法を説明する図である。動作４０２において、第一の通信システムは無線装置と通信を行う。例えば、第一の通信システム３１２は アクセスノード３０４を経由して無線装置３０２と通信可能である。実施例のひとつにおいて、第一の通信システム３１２は、ＬＴＥ、ＷｉＭＡＸ、ＣＤＭＡ等のプロトコルを使ってアクセスノード３０４を経由して無線装置３０２と通信可能である。
【００２２】
動作４０４において、第一の通信システムのネットワーク構成要素は、無線装置が第二の通信システムを検知したという指示を無線装置から受け取る。例えば、第一の通信システム３１２のネットワーク構成要素は、無線装置３０２が第二の通信システム３１０を検知したという指示を無線装置３０２から受け取ることができる。受け取られた指示は、例えば、第二の通信システム３１０のアクセスノードが検出されたという指示を含むことができ、さらに、第二の通信システムのアクセスノードによって使用される無線プロトコルの指示を提供することができる。例えば、 第一の通信システム３１２は、無線装置３０２がアクセスノード３０６を検出したという指示を受け取ることができる。実施例のひとつにおいて、第二の通信システム３１０は、ＷｉＦｉ、ＷＬＡＮ、Ｂｌｕｅｔｏｏｔｈ（登録商標）、Ｚｉｇｂｅｅ（登録商標）、ＩｒＤＡ等のプロトコルを使用することができる。
【００２３】
動作４０６において、ネットワーク情報は無線装置に記憶される。例えば、第一の通信システム３１２および無線装置３０２間の通信セッションに関連するネットワーク情報は無線装置３０２に記憶することができる。実施例のひとつにおいて、例えば、移動管理装置または類似のネットワーク構成要素などの通信セッションコントローラが、このネットワーク情報を提供することができる。ネットワーク情報はコンテキスト情報を含むことができる。ネットワーク情報は、例えば、無線装置３０２に関連するネットワークプロファイルおよびまたはネットワークアクセス履歴、無線装置３０２が通信をしていたアクセスノードに関する情報（例えば、アクセスノード３０４）、無線装置３０２に関するユーザ設定およびまたはユーザプロファイル情報、無線装置３０２において実行されるアプリケーションの設定および要件、ネットワーク負荷またはネットワークステータス情報等を含むことができる。
【００２４】
新しいアクセスノードに対して無線装置のハンドオーバが行われる場合であって、ネットワーク情報がその新しいアクセスノードにおいて入手されていない場合、ネットワーク情報は、通常、他のネットワーク構成要素から取得される。例えば、無線装置に関するネットワーク情報は、コントローラノード３１４などのネットワーク構成要素から取得することができる。別のネットワーク構成要素からネットワーク情報を取得することにより、ハンドオーバ処理に遅延を生じさせることになり、データ配信の遅延、かつまたは、無線装置上で実行されるアプリケーションのパフォーマンスの低下を招く可能性がある。無線装置にネットワーク情報を記憶することによって、その無線装置のハンドオーバを実行する際に、無線装置からすぐにネットワーク情報を利用することができる。さらに、第一の通信システム３１２と第二の通信システム３１０などの異なる通信システム間でネットワーク情報をやりとりしなくてもよい。
【００２５】
動作４０８において、第一の通信システムから第二の通信システムまで無線装置を引き渡すためにハンドオーバが行われる。例えば、無線装置３０２は、第一の通信システム３１２から第二の通信システム３１０に引き渡される。例えば、ネットワークの輻輳、負荷分散、またはキャリアバンド管理に対処するために、無線装置３０２が第二の通信システム３１０を検知した際、無線装置は、第一の通信システム３１２にメッセージを送信することによって第一の通信システム３１２に通知を行うことができる。別の例として、無線装置３０２が第一の通信システム３１２のサービスエリアから離れ、第二の通信システム３１０のサービスエリアに入りつつあると判断される場合がある。このような場合、第一の通信システム３１２から第二の通信システム３１０まで、無線装置３０２に対してハンドオーバを実行することができる。
【００２６】
動作４１０において、第二の通信システムが無線装置と通信を行う。例えば、第二の通信システム３１０は、アクセスノード３０６を経由して無線装置３０２と通信可能である。動作４１２において、無線装置３０２は、第二の通信システム３１０のアクセスノードの位置を示すアクセスノードロケーションを、第二の通信システム３１０を介して第一の通信システム３１２に提供する。例えば、無線装置３０２がアクセスノード３０６を介して第二の通信システム３１０と通信を行う際、無線装置３０２は、アクセスノード３０６の位置を第一の通信システム３１２に与えることができる。アクセスノードロケーションは、例えば、ネットワークアドレス（ＩＰアドレス等）やアクセスノードに対する情報のアドレス指定を許可する他の情報でもよい。アクセスノードロケーションは、例えば、コントローラノード３１４や、第一の通信システム３１２の別のネットワーク構成要素に提供することができる。
【００２７】
動作４１４において、第一の通信システムは、アクセスノードロケーションを使って、第二の通信システム経由で無線装置に対してページングメッセージを送信する。例えば、無線装置３０２宛のデータ、コールリクエスト等の情報は、第一の通信システム３１２に到着できる。第一の通信システムは、到着した情報について無線装置３１０に通知を行うためのページングメッセージを、第二の通信システム３１０を経由して送信することが可能である。実施例のひとつにおいて、第一の通信システム３１２は、アクセスノードロケーションを使って、無線装置３０２に配信を行うためにアクセスノード３０６に対してページングメッセージを送信することができる。実施例のひとつにおいて、第一の通信システム３１２は、第一の通信システムのページングシステムを介して無線装置３０２に直接ページングメッセージを送信することができない場合がある。それは、例えば、無線装置３０２が第二の通信システム３１０に対してハンドオーバをされた時に、第一の通信システムが無線装置３０２との通信リンクを維持していない場合である。第一の通信システム３１０は、例えばアクセスノードロケーションを使用して、第二の通信システム３１２を介して無線装置３０２に対してページングメッセージを提供することができる。
【００２８】
実施例のひとつにおいて、第二の通信システムの複数のアクセスノードのアクセスノードロケーションを、第一の通信システムに提供することができる。例えば、アクセスノード３０６に対するアクセスノードロケーションに加えて、第二の通信システム３１０についての追加的なアクセスノードに対してもアクセスノードロケーションを与えることができる。この追加的なアクセスノードは、例えば、アクセスノード３０６に隣接したまたは最も近いエリアとの通信を提供するアクセスノードであってよい。また、追加的アクセスノードは、第二の通信システム３１０内のサブネットワークや他の物理グループにあるアクセスノードであってもよく、これは、ある特定の建物、キャンパス、または組織のアクセスノードである可能性もある。追加的なアクセスノードはまた、指定されたサービスプロバイダのアクセスノードである場合もある。例えば、指定された「ホットスポット」、ブランドのアクセスノード、ネットワークアクセスサービス等を提供するアクセスノードがある。実施例のひとつにおいて、無線装置３０２に到達するために、アクセスノード３０６と第二の通信システム３１０の複数の追加的アクセスノードの少なくとも一つにページングメッセージを送信することが可能である。
【００２９】
動作４１６において、第一の通信システムが検出される。例えば、アクセスノード３０６を経由して第二の通信システムと通信している間に、無線装置３０２は第一の通信システム３１２を検知することができる。 実施例において、無線装置３０２はアクセスノード３０８を検知可能である。このような場合、無線装置３０２は、ハンドオーバの実行要求を第一の通信システム３１２に対して送信することができる。ハンドオーバのリクエストは、第二の通信システム３１０を経由して送信される。ハンドオーバのリクエストはまたアクセスノード３０８にも送られる。 実施例のひとつにおいて、第一の通信システム３１２のアクセスノード３０８は無線装置３０２を検知することが可能であり、第一の通信システムは、無線装置３０２をアクセスノード３０８に引き渡すというリクエストまたは命令をすることができる。
【００３０】
動作４１８において、無線装置に記憶されているネットワーク情報が受信される。 例えば、無線装置３０２に記憶されているネットワーク情報は、第二の通信システム３１０およびまたはアクセスノード３０８を経由して第一の通信システム３１２によって受信される。 動作４２０において、無線装置３０２のアクセスノード３０８へのハンドオーバは、無線装置３０２に記憶されていたネットワーク情報を使って実行される。その後、無線装置３０２は、アクセスノード３０８を介して第一の通信システム３１２と通信することができる。
【００３１】
図５は例示的な処理ノード５００を説明する図であり、処理ノード５００は、通信インターフェイス５０２と、ユーザインターフェイス５０４と、通信インターフェイス５０２およびユーザインターフェイス５０４と通信を行う処理システム５０６と、を備える。処理システム５０６は、記憶部５０８を含み、これは、ディスクドライブ、フラッシュドライブ、メモリ回路または他のメモリ機器を含むことができる。記憶部５０８は、処理ノード５００の動作において使用されるソフトウェア５１０を格納することができる。ソフトウェア５１０は、コンピュータプログラム、ファームウェア、または機械読取可能な命令の他の何らかの形式を含み、さらに、オペレーションシステム、ユーティリティ、ドライバ、ネットワークインターフェース、アプリケーション、または他のソフトウェア形式を含んでもよい。処理システム５０６は、記憶部５０８からソフトウェア５１０を取り出し実行するためのマイクロプロセッサおよび他の回路を含んでもよい。処理ノード５００はさらに、パワーマネージメントユニット、制御インタフェースユニット等の他のコンポーネントを含むことができるが、理解しやすくするために省略する。通信インターフェイス５０２は、処理ノード５００が他のネットワーク構成要素と通信できるようにする。ユーザインターフェイス５０４は、処理ノード５００の動作を構成し制御できるようにする。
【００３２】
処理ノード５００の一例にはコントローラノード３１４が含まれる。処理ノード５００はまた、別のネットワーク構成要素の附属的な要素またはコンポーネントになることも可能であり、ある通信システムにおいて別のネットワーク構成要素になることもできる。
【００３３】
ここに記載される例示的なシステムおよび方法は、コンピュータ読取可能な記録媒体上で体現化されたコンピュータ読取可能なコード、または一時的な媒体を経由して送信された通信信号を実行する処理システムの制御下で実施される。コンピュータ読取可能な記録媒体は、処理システムによって読取可能なデータを記憶できるデータ記憶装置であればいかなるものでもよく、揮発性および不揮発性の媒体、取り外し可能および取り外し不能の媒体を含み、データベース、コンピュータ、およびさまざまな他のネットワークデバイスによって読取可能な媒体を意図している。
【００３４】
コンピュータ読取可能な記録媒体の例としては、以下のものがあげられるが、それらに限られない。すなわち、読み出し専用メモリ（ＲＯＭ）、ランダムアクセスメモリ（ＲＡＭ）、消去可能電気的プログラマブルＲＯＭ（ＥＥＰＲＯＭ）、フラッシュメモリまたは他のメモリ技術、ホログラフィック媒体または他の光学ディスク記憶装置、磁気テープおよび磁気ディスクを含む磁気記憶装置、および固体記憶装置が挙げられる。コンピュータ読取可能な記録媒体はまた、ネットワークに接続されたコンピュータシステムを通じて分散処理ができるので、コンピュータ読取可能なコードは分散型処理方式で記憶され実行される。一時的な媒体を通じて送信される通信信号は、例えば有線または無線送信パスを通じて送信される変調信号を含む。
【００３５】
これまでの記載および対応する図面は、本発明の最良の形態を教示するものである。以下に記載する請求項は本発明の範囲を定義するものである。ただし、最良の形態の態様には、請求項によって定義される発明の範囲に含まれないものがある場合もある。当業者であれば、上記の特徴をさまざまな方法で組み合わせることにより本発明を様々に変形できると認識する。結果として、本発明は、上記の具体的な実施例に限定されるものではなく、以下の請求項およびその均等物によってのみ限定される。
【図１】
0005890944.tif 000002
【図２】
0005890944.tif 000003
【図３】
0005890944.tif 000004
【図４】
0005890944.tif 000005
【図５】
0005890944.tif 000006